(57)【要約】【課題】複数の記録媒体に動画データを連続記録する場合、記録に必要な最大保証記録速度を下まわる記録媒体の場合に、記録速度を下げる制御を行い、動画をとぎれる事なく記録するデジタルビデオカメラを提供することを目的とする。【解決手段】挿入された記録媒体Ａ７、記録媒体Ｂ８の記録保証速度などの特性をあらかじめ記録媒体特性認識手段５で認識し、あらかじめ設定される記録画素数とフレームレートとデータ圧縮情報から得られる必要な記録速度を満たさない記録媒体があれば、データデータ圧縮率などを下げて記録を可能にする。記録開始のスイッチが押されれば記録開始終了制御部４から記録開始の指示が出て、画像撮影手段１から入力される映像データが画像記録制御部２でデータ圧縮され記録部６へ送られ記録媒体Ａ７と記録媒体Ｂ８へ記録される。撮影される画像と各種記録情報は表示部３へ表示される。【選択図】図１
2006246111.tif 000002
【特許請求の範囲】
【請求項１】
特性の異なる複数の記録媒体と、前記記録媒体の特性を認識する記録媒体特性認識手段と、画像を撮影する画像撮影手段と、あらかじめ設定される記録画素数とフレームレートとデータ圧縮情報とからなる画像記録情報と前記記録媒体特性認識手段で認識した記録媒体情報とから前記記録媒体に記録する画像データの画像記録を制御する画像記録制御部と、撮影の開始と終了を制御する記録開始終了制御部と、前記記録開始終了制御部からの指示に従い前記画像記録制御部で設定される画像データ処理内容にもとづき画像データを処理して前記記録媒体に記録する記録手段と、前記画像記録制御部で設定される画像データ処理内容と前記画像撮影手段で撮影された画像データとを表示する表示手段とを備えることを特徴とする撮影装置。
【請求項２】
画像記録制御部は、複数の記録媒体において記録媒体情報で得た保証される最大記録速度があらかじめ設定される前記画像記録情報の最大記録速度を下回る場合、画像記録制御部で記録画素数やフレームレートやデータ圧縮率を変更する事により記録速度を下げ、速度を下げた情報を前記表示手段に表示する事を特徴とする請求項１記載の撮影装置。
【請求項３】
画像記録制御部は、記録媒体情報で得た保証される最大記録速度があらかじめ設定される画像記録情報の最大記録速度を下回る場合、記録の保証ができない事を前記表示手段に表示し、記録は開始する事を特徴とする請求項１記載の撮影装置。
【請求項４】
音声を入力する音声入力手段と、前記音声入力手段で入力した音声データを制御する音声記録制御部と、画像データと同期して前記音声記録制御部で処理された音声データと画像データとを前記記録媒体に記録する前記記録手段とを備えることを特徴とする請求項１記載の撮影装置。
【発明の詳細な説明】
【技術分野】
【０００１】
本発明は、電子的な撮像手段をもち、映像を複数の記録媒体に連続記録可能な撮影装置に関するものであり、例えば、デジタルビデオカメラに関するものである。
【背景技術】
【０００２】
近年、デジタルカメラ、デジタルビデオカメラの急激な普及により、小さくて便利な記録媒体であるフラッシュメモリタイプのメモリカードなどが多く記録媒体として利用されている。また、静止画の１枚の画素数が１０メガ画素を超えてきて、記録媒体もそれに対応し数メガビット品のものが市場に出回り価格も年々安くなっている。
【０００３】
また、特開２００４−２０１２２６号公報に記載の電子カメラのようにメモリカード用にダブルスロットを設け、それぞれ異なる特徴のカードを挿入し、記録速度が速いカードに自動的に画像を記録し、一端記録が終わってから記録速度が遅いカードに転送する事を特徴とし、複数のカードの記録速度の差を有効に利用している。主に静止画の撮影で連写など画像毎の連写の間隔の速度を早めるために記録速度の速いメモリカードの選択を特徴としている。
【特許文献１】特開２００４−２０１２２６号公報
【発明の開示】
【発明が解決しようとする課題】
【０００４】
しかしながら，従来の技術では特開２００４−２０１２２６号公報に記載の電子カメラのように静止画の連写記録を想定しており、複数の記録媒体にまたがるような大量の動画データを高速に記録する事には適さない。また仮にデジタルカメラに搭載されている動画の場合も、ＭＰＥＧ４動画などカードへの記録速度が数メガｂｐｓ（ビット毎秒）の程度であったが、市場では２００３年１２月から地上デジタル放送が始まり着実に高精細なハイビジョン画像に移行しており、２００３年からテープメディアを使用したハイビジョン対応のビデオカメラ（ＨＤＶ規格）も市場で発売されはじめた。テープメディアから市場に導入されたのは、記録速度、記録容量に対する価格などがメモリカードよりテープメディアが現時点優れているからである。今後はメモリカードの技術が進化し、大容量で安価なものが市場に登場すればハイビジョンムービーの小型化が可能になる。ハイビジョン画像の場合、現在の地上波放送の標準放送画質（ＮＴＳＣやＰＡＬ）に比べ、例えば記録画素数とフレームレートが１０８０Ｉ（１４４０×１０８０×５９．９４ＭＨｚ）の画像データの情報量は約４倍近くになる。近い将来電子カメラで主流のフラッシュメモリタイプの記録媒体も高容量、低価格になる事が予想され小型のハイビジョン対応カメラが主流になると予測される。
【０００５】
しかし、ハイビジョン撮影の場合メモリカードの容量が約４Ｇバイトで約２０分程度の記録しかできないため、一時間連続撮影するためには約１２Ｇバイトのメモリカードが必要になる。そのためにハイビジョン対応カメラに複数の媒体（例えば４Ｇのメモリカードを３枚）を挿入可能にして、連続１時間の撮影を可能する方法がある。ハイビジョン対応カメラに複数の媒体を挿入した場合、連続撮影時間を延ばすために記録媒体間に渡って画像を撮影する方法がある。この時、記録媒体毎の最大記録速度が異なる場合、速い記録媒体から遅い記録媒体へまたいだ記録の場合に、記録に必要な速度に満たない記録媒体へ記録が移った直後に記録が中断してしまうという欠点がある。
【０００６】
本発明は前記問題点に鑑み、一つもしくは複数の記録媒体への記録において、あらかじめ記録速度を記録媒体の記録保証速度に合わせて記録する撮影装置を提供することを目的とする。
【課題を解決するための手段】
【０００７】
前記課題を解決するために本発明の撮影装置は、特性の異なる複数の記録媒体と、前記記録媒体の特性を認識する記録媒体特性認識手段と、画像を撮影する画像撮影手段と、あらかじめ設定される記録画素数とフレームレートとデータ圧縮情報とからなる画像記録情報と前記記録媒体特性認識手段で認識した記録媒体情報とから前記記録媒体に記録する画像データの画像記録を制御する画像記録制御部２と、撮影の開始と終了を制御する記録開始終了制御部４と前記記録開始終了制御部４からの指示に従い前記画像記録制御部２で設定される画像データ処理内容にもとづき画像データを処理して前記記録媒体に記録する記録手段と、前記画像記録制御部２で設定される画像データ処理内容と前記画像撮影手段で撮影された画像データとを表示する表示手段とを備えることを特徴とする。
【０００８】
これにより、たとえば記録画素数とフレームレートが１０８０Ｉ（１４４０×１０８０×５９．９４ＭＨｚ）でデータ圧縮情報がＭＰＥＧ２圧縮でＣＢＲ（固定ビットレート）で２５Ｍｂｐｓとあらかじめ設定されていた場合、記録媒体の特性情報のひとつである最大記録保証速度が２５Ｍｂｐｓより大きいか小さいかを比較し、小さい場合は圧縮のＣＢＲの値を下げるとか、記録画素数とフレームレートを１０８０Ｉから７２０Ｐ（１２８０×７２０×５９．９４ＭＨｚ）の変更するなど記録媒体の記録保証速度以下になるような制御を行い、変更した内容をデジタルビデオカメラに付属する液晶モニタなどに表示する。これにより、複数の記録媒体をまたいだ動画記録、もしくは記録媒体が一枚の時の動画記録が可能になる。また、記録に必要な最大保証記録速度を下まわる記録媒体の場合、液晶モニタなどに「記録の保証ができない」事を示す表示をして記録を継続するかもしくは記録を中断する事も可能になる。
【発明の効果】
【０００９】
以上説明したように本発明は、搭載される複数の記録媒体の特性と動画の記録速度から、記録速度を調整したり、記録を停止するなどを行い、主に動画が複数の記録媒体に渡って連続記録する場合のデータの保証を実現する事ができ、その実用的効果は大きい。
【発明を実施するための最良の形態】
【００１０】
本発明の請求項１に記載の発明は、特性の異なる複数の記録媒体と、前記記録媒体の特性を認識する記録媒体特性認識手段と、画像を撮影する画像撮影手段と、あらかじめ設定される記録画素数とフレームレートとデータ圧縮情報とからなる画像記録情報と前記記録媒体特性認識手段で認識した記録媒体情報とから前記記録媒体に記録する画像データの画像記録を制御する画像記録制御部と、撮影の開始と終了を制御する記録開始終了制御部と、前記記録開始終了制御部からの指示に従い前記画像記録制御部で設定される画像データ処理内容にもとづき画像データを処理して前記記録媒体に記録する記録手段と、前記画像記録制御部で設定される画像データ処理内容と前記画像撮影手段で撮影された画像データとを表示する表示手段とを備えるものであり、これにより、搭載される複数の記録媒体の特性と動画の記録速度から、記録速度を調整したり、記録を停止するなどを行い、主に動画が複数の記録媒体に渡って連続記録する場合のデータの保証を実現する事ができ、その実用的効果は大きい。
【００１１】
（実施の形態１）
図１は本発明における撮影装置の一例としてデジタルビデオカメラを用いた実施例である。
【００１２】
１は画像撮影手段である画像撮影部で、レンズを通して入力される光学映像をＣＣＤ（固体撮像素子）やＣＭＯＳセンサーなどの撮像素子でデジタルデータに変換し、ハイビジョンの場合は記録画素数とフレームレートを１０８０Ｉや７２０Ｐ（１２８０×７２０×５９．９４ＭＨｚ）などあらかじめ決められたデジタルデータにも変換する。またカメラ特有のホワイトバランスの調整や色合いの調整とか、手振れ補正などの一連の画質を向上させる信号処理も施される。
【００１３】
４は記録開始終了制御部で、別途設けられた記録ボタンなどのスイッチ（図示せず）が押されることにより、記録の開始が可能な場合に記録の開始を行うよう制御し、また記録中にスイッチが操作されれば記録終了の制御をする。
【００１４】
７及び８は第１の記録媒体及び第２の記録媒体で、フラッシュメモリタイプのメモリカードなどや、着脱可能な光ディスクや光磁気ディスクやハードディスクなどであり、少なくとも画像記録制御部２からのデジタル画像を記録可能なものであればよい。記録媒体には市場で有名なものとして、コンパクトフラッシュ（登録商標）、ＳＤメモリカードなどがあり、それぞれの記録保証速度は各種ある。ＳＤメモリカードの例では、カード単独では１０Ｍｂｐｓや１６Ｍｂｐｓや３２Ｍｂｐｓなどのように、順次保証速度は速くなる予定である。これらの記録保証は今後、レベル１、２、４のように規格化され、どのレベルのカードかはカード内の識別情報を読み取ることで知る事ができる。また、ＳＤメモリカードで記録保証速度を向上させるためには、内蔵のフラッシュメモリそのもののアクセス速度を向上させると共に、フラッシュメモリ内で扱うアクセスの最小単位を大きく確保する事で実現しようとしている。複数の記録媒体を装填可能（いわゆるダブルスロット）な機器の場合、異なる種類の記録媒体の挿入の場合はもとより、例えば同じＳＤカードでも記録保証速度が違うものがあり、ユーザーがどのようなカードを使用するかに応じて、あらかじめ設定される記録速度と差が出る場合は多くなる。
【００１５】
本実施の形態の撮像装置は、第１の記録媒体７及び第２の記録媒体８のように複数の記録媒体を装填可能な機器であり、このように複数の記録媒体を装填するために、装置側には複数の記録媒体装填部（ダブルスロット）を設けている。なお、本実施の形態では複数のスロットを設けた構成としたが、必ずしも複数のスロットである必要はなく、一つだけ挿入口を備え、装置内部で複数の記録媒体を扱えるような構成（例えばチェンジャー構造）としてもよい。
【００１６】
６は記録手段である記録部で、画像記録制御部２から送られてくる画像データを第１の記録媒体７、第２の記録媒体８に記録する。また、一般的にファイルシステムと呼ばれる管理手段で複数の記録媒体の記録データの情報の管理も行っている。
【００１７】
５は記録媒体認識手段である記録媒体認識部で、第１の記録媒体７と第２の記録媒体８からカード認識の情報として、たとえばフラッシュメモリの種類や記録容量や、残量容量や、記録速度保証値や、カード製造会社などの情報を得る。
【００１８】
２は画像記録制御手段である画像記録制御部で、記録媒体認識部５で認識した複数カードの記録保証速度情報と、あらかじめ設定されている記録画素数とフレームレートとデータ圧縮情報を元に、画像撮影部１から入力される画像データを圧縮する。データ圧縮の種類としてはＭＰＥＧ２やＭＰＥＧ４やモーションＪＰＥＧやＨ．２６４などがよく知られている。
【００１９】
３は表示手段である表示部で、一般的には液晶などが利用され、画像撮影部１の画像を表示をする。また、記録媒体認識部５で認識した複数カードの記録保証速度情報と、あらかじめ設定されている記録画素数とフレームレートとデータ圧縮情報とから画像記録制御部２が設定する情報や記録保証の有無を知らせる情報を、グラフィックデータとして画像データに重畳して液晶などに表示する。このように、少なくとも画像（動画）及び各種情報を表示することができれば、表示デバイスの種類などは限定されない。
【００２０】
９は音声入力部で、例えばマイクロホンなどで構成され、動画撮影時における撮影環境周辺の音声を収集する。
【００２１】
１０は音声制御部で、音声入力部９で入力された音声を、あらかじめ決められた音声データ圧縮もしくは非圧縮の処理を施し、記録部６を経由して、画像記録制御部２からの動画圧縮データと同様に第１の記録媒体７や第２の記録媒体８へ記録する。
【００２２】
以上のように構成された本実施の形態の撮像装置について、以下図１に示すデジタルビデオカメラを例に説明する。
【００２３】
フラッシュメモリタイプの第１の記録媒体７及び第２の記録媒体８が、デジタルビデオカメラに設けられたスロットに挿入されると、記録媒体認識部５においてフラッシュメモリにあらかじめ書き込まれている認識情報（メモリの種類／記録容量／残量容量／記録速度保証値／カード製造会社など）を読み込んで認識する。
【００２４】
記録媒体認識部５で得た情報は画像記録制御部２へ伝えられ、記録媒体認識部５で認識した複数メモリカードの記録速度保証値と、あらかじめ設定されている記録画素数とフレームレートとデータ圧縮情報とから、本装置に装填されたメモリカードが本装置の記録速度保証値に対応しているか否かを判断する。
【００２５】
複数カードのうち少なくとも１つのメモリカードの記録保証速度が本装置における記録速度保証値を満足しないと判断した場合（すなわち、装置の記録速度保証値よりも低い記録速度で記録動作するメモリカード）、データ圧縮率を高めて記録速度をメモリカードの記録保証速度以下にするなどの再設定を行い、画像撮影部１に対して記録画素数とフレームレートを指示する。また、データ圧縮率を高める代わりに、フレームレートやフレームあたりの画素数を減らす方法もある。一例では１０８０Ｉを７２０Ｐに変更するなどが考えられる。
【００２６】
たとえば、複数の記録媒体としてＳＤメモリカードを用いた場合、装置の記録速度があらかじめ「ＭＰＥＧ２・ＣＢＲ（固定ビットレート）・２５Ｍｂｐｓ」と設定されていたとすると、一方のＳＤメモリカードの記録保証速度が３２Ｍｂｐｓで、もう一方のＳＤメモリカードの記録保証速度が１６Ｍｂｐｓであったとすると、装置におけるＣＢＲの値を１６Ｍｂｐｓに下げる設定を行う事で実現できる。すなわち、ビットレートが異なる複数のＳＤメモリカードのうち、ビットレートが低い方のビットレート値に、装置のビットレート値を合わせるわけである。
【００２７】
また、記録速度保証の実力がメモリカード製造会社間でもバラツキがある。静止画記録の場合は、記録速度が遅いメモリカードを用いたとしても、メモリカードに対する記録（書き込み）に長い時間を要するだけで、記録自体は確実に行われて、失敗することはない。しかし、動画記録の場合は、装置からメモリカードに対するデータ転送速度よりもメモリカードに対する記録速度（書き込み速度）が遅いと、データの欠落という大きな問題になる。よって、あらかじめ特定の製造メーカーで特性の性能が識別できる場合も、記録速度を保証可能な値以下に下げるなどの方法をとる。どの方法を選択するかは、次の表示部３の説明中で説明する。
【００２８】
表示部３には、図２に示すように画像撮影部１の画像と設定情報とを表示する。たとえば、デジタルビデオカメラの場合は、電池残量マーク２０，記録画素数やフレームレートなどの情報２１，ＣＢＲ（固定ビットレート）やＶＢＲ（可変ビットレート）などのビットレート情報２２、第１の記録媒体７の残量情報２３，第２の記録媒体８の残量情報２４などがある。なお、表示する項目については、これらに限定されるものではない。
【００２９】
また、記録媒体認識部５で、複数のメモリカードのうち少なくとも１つのメモリカードの記録保証速度が記録速度を満足しない場合の処理方法として、図３の警告表示３０ように「ＣＡＲＤ１の記録速度は保証外です。ＣＡＲＤ１を交換してください。」という内容の表示をして、使用者に対して警告するとともに、保証内の記録速度で動作するメモリカードへの交換を促す。この時、画像記録制御部２は、一方の記録媒体（ＣＡＲＤ１）に対する記録動作を強制的に禁止してもよい。また、他の方法として図４の注意表示４０ように、「ＣＡＲＤ１の記録速度は保証外です。」という内容の表示をして、記録開始待機状態にする方法がある。どちらの場合も、保証ができないメモリカードの情報と、どちらのメモリカードから記録するかの情報も表示する。
【００３０】
これにより、複数のメモリカードに渡って連続撮影をする必要がない、すなわち記録時間が短い動画撮影時に、記録速度保証の値が記録速度を満足するメモリカードのみを選択して、撮影画像（動画）を記録することができる。
【００３１】
また、図５のお知らせ表示５０のように「現在の設定では記録の保証ができないので、記録速度を下げる」という主旨の表示と、「変更する記録速度」の表示をして記録開始の待機状態にするなどの方法がある。これも上記図２の説明と同様に記録速度保証ができないカードの情報と、どちらのカードから記録するかの情報も表示する。これにより複数のカードに渡って連続撮影をする必要がない、すなわち記録時間が短い場合に記録速度保証の値が記録速度を満足するカードのみの撮影の場合はあらかじめ設定された記録速度で記録を開始する事も選択できる。
【００３２】
次に、記録開始終了制御部４において記録開始のスイッチが押されると、画像記録制御部２に記録開始を指示し、画像記録制御部２は画像撮影部１から入力される画像（動画）を、予め決められた記録速度以下になるように圧縮し、圧縮されたデータは記録部６から第１の記録媒体７もしくはＢ８へ記録される。
【００３３】
記録中の記録媒体の残量がなくなった場合は、他の記録媒体へ連続して記録を継続する。例えば、最初に第１の記録媒体７へ動画記録を行っていて、第１の記録媒体７の記録残量がなくなってしまった場合、第２の記録媒体８へ連続して記録を継続するよう制御する。
【００３４】
一方、記録開始のスイッチが押された際、記録を開始ができない場合は、表示部３に「記録の開始ができない」という趣旨の表示をする。
【００３５】
本発明は、２枚のメモリカードの例で説明したが、３枚以上も同様である。また１枚の場合もメディア間の連続記録を除けば２枚の場合と同様である。
【００３６】
音声データに関しては、動画データに比べ情報量は低いので動画の動きに合わせる事になる。マイクなどの音声入力部９から収集され音声制御部１０でＭＰ２とかＡＣ３とかＭＰ３などの音声データ圧縮を施された音声圧縮データは、記録開始終了制御部４で記録を開始指示されると、記録部６へデータを送り動画と同様に記録部６から第１の記録媒体７もしくは第２の記録媒体８へ記録される。
【００３７】
以上説明したように本実施の形態は、搭載される複数の記録媒体の特性と動画の記録速度から、記録速度を調整したり、記録を停止するなどを行い、主に動画が複数の記録媒体に渡って連続記録する場合のデータの保証を実現する事ができ、その実用的効果は大きい。
【産業上の利用可能性】
【００３８】
本発明は、デジタルビデオカメラの他、デジタルスチルカメラやカメラ付き携帯電話機など、少なくとも複数の記録媒体を装填可能な撮像装置に利用して有効なものである。
【図面の簡単な説明】
【００３９】
【図１】本発明のデジタルビデオカメラの実施例を示すブロック図
【図２】本発明のデジタルビデオカメラの通常の表示部の表示例を示す模式図
【図３】本発明のデジタルビデオカメラのメモリカードの記録速度保証外時の表示部の警告表示例を示す模式図
【図４】本発明のデジタルビデオカメラのメモリカードの記録速度保証外時の表示部の注意表示例を示す模式図
【図５】本発明のデジタルビデオカメラのメモリカードの記録速度保証外時の表示部の「お知らせ」表示例を示す模式図
【符号の説明】
【００４０】
１    画像撮影部
２    画像記録制御部
３    表示部
４    記録開始終了制御部
５    記録媒体認識部
６    記録部
７    第１の記録媒体
８    第２の記録媒体
９    音声入力部
１０    音声制御部
【図１】
2006246111.tif 000003
【図２】
2006246111.tif 000004
【図３】
2006246111.tif 000005
【図４】
2006246111.tif 000006
【図５】
2006246111.tif 000007